【手続補正書】
【提出日】平成20年9月18日(2008.9.18)
【手続補正１】
【補正対象書類名】特許請求の範囲
【補正対象項目名】全文
【補正方法】変更
【補正の内容】
【特許請求の範囲】
【請求項１】
画像キャプチャ回路であって、
それぞれが単色の画素行を表す所定の順序の色成分を有するシリアルアナログカラー信号を受信するよう動作可能なデジタイザを備え、該デジタイザは、
それぞれが前記シリアルアナログカラー信号を受信し、かつ、個別の色成分を処理するよう動作可能な複数のチャネルと、
前記色成分を順次受信してデジタル化するよう動作可能なＡ／Ｄコンバータと、を有し、
前記画像キャプチャ回路は、前記デジタイザに接続され、前記チャネルのそれぞれを前記所定の順序で前記Ａ／Ｄコンバータに接続するよう動作可能なコントローラを更に有する画像キャプチャ回路。
【請求項２】
前記デジタイザは、前記チャネルと前記Ａ／Ｄコンバータとの間に配置されたマルチプレクサをさらに有し、
前記コントローラは、前記マルチプレクサをして、前記チャネルを前記所定の順序で前記Ａ／Ｄコンバータに接続せしめるようにさらに動作可能である、請求項１に記載の画像キャプチャ回路。
【請求項３】
前記それぞれの入力チャネルは、それが処理する前記個別の色成分を修正するよう動作可能である、請求項１に記載の画像キャプチャ回路。
【請求項４】
前記それぞれの入力チャネルは、前記個別の色成分を増幅するようさらに動作可能である、請求項３に記載の画像キャプチャ回路。
【請求項５】
前記それぞれの入力チャネルは、前記個別の色成分をオフセットするようさらに動作可能である、請求項３に記載の画像キャプチャ回路。
【請求項６】
前記コントローラは、前記受信されたアナログカラー信号の第１の色成分を前記第１の入力チャネルが処理し、前記受信されたアナログカラー信号の第２の色成分を前記第２の入力チャネルが処理し、それぞれの色成分が個別に処理されるまで処理を続けるように、前記デジタイザを制御するようさらに動作可能である、請求項１に記載の画像キャプチャ回路。
【請求項７】
前記デジタイザは、前記複数のチャネルにおいて前記シリアルアナログカラー信号を受信するよう動作可能である、請求項１に記載の画像キャプチャ回路。
【請求項８】
前記デジタイザは、色成分を有するパラレルアナログカラー信号を受信するようさらに動作可能であり、前記デジタイザのそれぞれのチャネルは、個別の色成分を受信するよう動作可能である、請求項１に記載の画像キャプチャ回路。
【請求項９】
前記コントローラと前記デジタイザは、単一のチップ上に形成される、請求項１に記載の画像キャプチャ回路。
【請求項１０】
画像キャプチャ回路であって、
所定の順序の色成分を有するシリアルアナログカラー信号を受信するよう動作可能なデジタイザを備え、前記デジタイザは、
複数の信号修正チャネルであって、そのうちの１つが対応する修正パラメータに従い、前記色成分のそれぞれを順次修正するよう動作可能である複数の信号修正チャネルと、
前記チャネルの前記１つからの修正された色成分を順次受信し、かつ、デジタル化するよう動作可能なＡ／Ｄコンバータと、を有し、
前記画像キャプチャ回路は、前記デジタイザに接続され、前記チャネルが修正している色成分に対応させるべく前記修正パラメータを順次更新するよう動作可能であるコントローラを更に備える画像キャプチャ回路。
【請求項１１】
前記修正パラメータは、増幅を含む、請求項１０に記載の画像キャプチャ回路。
【請求項１２】
前記修正パラメータは、オフセットを含む、請求項１０に記載の画像キャプチャ回路。
【請求項１３】
画像の走査に応答して、所定の順序の色成分を有するシリアルアナログカラー信号を生成するよう動作可能なセンサヘッドと、
画像キャプチャ回路と、を備えるスキャナであって、
前記画像キャプチャ回路は、前記シリアルアナログカラー信号を受信するよう動作可能なデジタイザを有し、前記デジタイザは、
それぞれが前記シリアルアナログカラー信号を受信し、かつ、個別の色成分を処理するよう動作可能な複数のチャネルと、
前記色成分を順次受信してデジタル化するよう動作可能なＡ／Ｄコンバータと、を有し、
前記画像キャプチャ回路は、前記デジタイザに接続され、前記チャネルのそれぞれを前記所定の順序で前記Ａ／Ｄコンバータに接続するよう動作可能なコントローラを更に有するスキャナ。
【請求項１４】
前記それぞれの入力チャネルは、前記シリアルアナログカラー信号に接続される、請求項１３に記載のスキャナ。
【請求項１５】
前記コントローラは、前記センサヘッドによる第１の色成分の生成を第１のチャネルによる前記第１色の成分の処理と同期させ、また、前記センサヘッドによる第２の色成分の生成を第２のチャネルによる前記第２の色成分の処理と同期させ、各々の色成分の生成および異なるチャネルによる処理が完了するまで継続するようさらに動作可能である、請求項１３に記載のスキャナ。
【請求項１６】
前記色成分は、赤、緑、および、青を含む、請求項１３に記載のスキャナ。
【請求項１７】
前記スキャンヘッドは、ＣＩＳ型である、請求項１３に記載のスキャナ。
【請求項１８】
画像の走査に応答して、所定の順序の色成分を有するシリアルアナログカラー信号を生成するよう動作可能なセンサヘッドと、
画像キャプチャ回路と、を備えるスキャナであって、
前記画像キャプチャ回路は、前記シリアルアナログカラー信号を受信するよう動作可能なデジタイザを備え、前記デジタイザは、
複数の信号修正チャネルであって、そのうちの１つが対応する修正パラメータに従い、前記色成分のそれぞれを順次修正するよう動作可能である複数の信号修正チャネルと、
前記修正された色成分を前記チャネルの前記１つから順次受信し、かつ、デジタル化するよう動作可能なＡ／Ｄコンバータと、を有し、
前記画像キャプチャ回路は、前記デジタイザに接続され、前記チャネルが修正している色成分に対応させるべく前記修正パラメータを順次更新するよう動作可能であるコントローラを更に備えるスキャナ。
【請求項１９】
それぞれが単色の画素行を表す所定の順序の色成分を有するシリアルアナログカラー信号をデジタル化する方法であって、
前記シリアルアナログカラー信号を単一の入力ノードにおいて受信する段階と、
前記第入力ノードに接続された第１のチャネルにより前記色成分の第１のものを修正し、該修正された色成分を第１の期間中にデジタル化する段階と、
前記第入力ノードに接続された第２のチャネルにより前記色成分の第２のものを修正し、該修正され色成分を前記第１の期間とは異なる第２の期間中にデジタル化する段階と、
を含む方法。
【請求項２０】
所定の順序の色成分を有するシリアルアナログカラー信号をデジタル化する方法であって、
複数のチャネルから選択されたものの修正パラメータを第１の所定のレベルに設定し、前記色成分の第１のものを前記チャネルにより修正し、該修正された第１の成分を第１の期間でデジタル化する段階と、
前記チャネルの前記修正パラメータを第２の所定のレベルに設定し、前記色成分の第２のものを前記チャネルにより修正し、該修正された第２の成分を前記第１の期間とは異なる第２の期間でデジタル化する段階と、
含む方法。
【請求項２１】
画像キャプチャ回路であって、
それぞれが単色の画素行を表す所定の順序の色成分を有するシリアルアナログカラー信号を受信し、かつ、該色成分のそれぞれを処理するよう動作可能な複数のチャネルと、
前記処理された色成分を前記チャネルから順次受信し、かつ、デジタル化するよう動作可能なＡ／Ｄコンバータと、
前記チャネルを前記Ａ／Ｄコンバータに所定の順序で接続するよう動作可能なコントローラと、
を備える画像キャプチャ回路。
【請求項２２】
スキャナであって、
画像を走査し、かつ、該画像を表すシリアルアナログカラー信号を生成するよう動作可能なセンサヘッドであって、前記信号は、単色の画素行をそれぞれ表す所定の順序の色成分を有するセンサヘッドと、
前記センサヘッドから前記シリアルアナログカラー信号を受信し、かつ、前記色成分のそれぞれを処理するよう動作可能な複数のチャネルと、
前記処理された色成分を前記チャネルから順次受信し、かつ、デジタル化するよう動作可能なＡ／Ｄコンバータと、
前記チャネルを前記Ａ／Ｄコンバータに所定の順序で接続するよう動作可能なコントローラと、
を備えるスキャナ。
【請求項２３】
それぞれが単色の画素行を表す所定の順序の色成分を有するシリアルアナログカラー信号をデジタル化する方法であって、
前記シリアルアナログカラー信号を第１および第２のチャネルのそれぞれで受信する段階と、
前記色成分の第１のものを前記第１のチャネルにより修正し、かつ、該修正された第１の成分を第１の期間でデジタル化する段階と、
前記色成分の第２のものを前記第２のチャネルにより修正し、かつ、該修正された第２の成分を前記第１の期間とは異なる第２の期間でデジタル化する段階と、
を含む方法。
【請求項２４】
前記シリアルアナログカラー信号を第３のチャネルで受信する段階と、
前記色成分の第３のものを前記第３のチャネルで修正し、かつ、該修正された第３の成分を、前記第１および第２の期間とは異なる第３の期間でデジタル化する段階と、
をさらに含む、請求項２３に記載の方法。
【請求項２５】
画像キャプチャ回路であって、
一連の色成分を有するシリアルアナログカラー信号を受信するよう動作可能なデジタイザを備え、該デジタイザは、
それぞれが付随する修正パラメータに従い対応する色成分を修正するよう動作可能な複数の信号修正チャネルと、
前記修正された色成分を前記チャネルから受信しかつデジタル化するよう動作可能なＡ／Ｄコンバータと、を有し、
前記画像キャプチャ回路は、前記デジタイザに接続され、前記チャネルが修正している前記色成分に対応させるべく前記修正パラメータを更新するコントローラを更に備える画像キャプチャ回路。
【請求項２６】
前記デジタイザは、前記チャネルと前記Ａ／Ｄコンバータとの間に配置されたマルチプレクサをさらに含み、前記コントローラは、前記マルチプレクサをして、前記チャネルを、前記Ａ／Ｄコンバータに所定の順序で接続せしめるようさらに動作可能である、
請求項２５に記載の画像キャプチャ回路。
【請求項２７】
前記入力チャネルのそれぞれは、それが処理する個々の色成分を修正するよう動作可能である、請求項２５に記載の画像キャプチャ回路。
【請求項２８】
前記それぞれの入力チャネルは、前記個々の色成分を増幅するようさらに動作可能である、請求項２７に記載の画像キャプチャ回路。
【請求項２９】
前記それぞれの入力チャネルは、前記個々の色成分をオフセットするようさらに動作可能である、請求項２７に記載の画像キャプチャ回路。
【請求項３０】
前記コントローラは、前記第１の入力チャネルが前記受信されたアナログカラー信号の第１の色成分を処理し、前記第２の入力チャネルが前記受信されたアナログカラー信号の第２の色成分を処理し、前記色成分のそれぞれが個別に処理され終わるまで処理し続けるよう、前記デジタイザを制御するようさらに動作可能である、請求項２５に記載の画像キャプチャ回路。
【請求項３１】
前記デジタイザは、前記シリアルアナログカラー信号を前記複数のチャネル内で受信するよう動作可能である、請求項２５に記載の画像キャプチャ回路。
【請求項３２】
前記デジタイザは、色成分を有するパラレルアナログカラー信号を受信するようさらに動作可能であり、該デジタイザの各チャネルは、個別の色成分を受信するよう動作可能である、請求項２５に記載の画像キャプチャ回路。
【請求項３３】
前記コントローラおよび前記デジタイザは、単一のチップ上に形成される、請求項２５に記載の画像キャプチャ回路。
【請求項３４】
画像の走査に応答し、一連の色成分を有するシリアルアナログカラー信号を生成するよう動作可能なセンサヘッドをさらに備える、請求項２５に記載の画像キャプチャ回路。
【請求項３５】
スキャナであって、
画像の走査に応答し、それぞれが単色の画素行を表す一連の色成分を有するシリアルアナログカラー信号を生成するよう動作可能なセンサヘッドと、
画像キャプチャ回路と、を備え、
前記画像キャプチャ回路は、前記シリアルアナログカラー信号を受信するよう動作可能なデジタイザを備え、該デジタイザは、
前記シリアルアナログカラー信号を受信し、かつ、それぞれの色成分を処理するようそれぞれ動作可能な複数のチャネルと、
前記色成分を受信し、かつ、デジタル化するよう動作可能なＡ／Ｄコンバータと、を有し、
前記画像キャプチャ回路は、前記デジタイザに接続され、前記チャネルのそれぞれを前記Ａ／Ｄコンバータに順番に接続するよう動作可能なコントローラを更に備えるスキャナ。
【請求項３６】
前記修正パラメータは、増幅を含む、請求項３５に記載のスキャナ。
【請求項３７】
前記修正パラメータは、オフセットを含む、請求項３５に記載のスキャナ。
【請求項３８】
一連の色成分を有するシリアルアナログカラー信号をデジタル化する方法であって、
複数のチャネルから選択されたものの修正オパラメータを第１のレベルに設定する段階と、
前記色成分の第１のものを前記選択されたチャネルで修正し、該修正された第１の色成分を第１の期間でデジタル化する段階と、
前記選択されたチャネルの修正パラメータを第２のレベルに設定し、前記色成分の第２のものを前記選択されたチャネルで修正し、かつ、該修正された第２の色成分を前記第１の期間とは異なる第２の期間でデジタル化する段階と、
を含む方法。
【請求項３９】
画像キャプチャ回路であって、
それぞれが単色の画素行を表す一連の色成分を含むシリアルアナログカラー信号を受信し、かつ、該色成分のそれぞれを処理するようそれぞれ動作可能な複数のチャネルと、
前記チャネルから前記処理された色成分を受信してデジタル化するよう動作可能なＡ／Ｄコンバータと、
前記チャネルを前記Ａ／Ｄコンバータに順番に接続するよう動作可能なコントローラと、
を含む画像キャプチャ回路。
【請求項４０】
画像を走査し、かつ、該画像を表すシリアルアナログカラー信号を生成するよう動作可能なセンサヘッドであって、前記信号は、それぞれが単色の画素行を表す一連の色成分を有するセンサヘッドをさらに含む請求項３９に記載の画像キャプチャ回路。
【請求項４１】
それぞれが単色の画素行を表す一連の色成分を有するシリアルアナログカラー信号をデジタル化する方法であって、
前記シリアルアナログカラー信号を第１および第２のチャネルのそれぞれで受信する段階と、
前記色成分の第１のものを前記第１のチャネルで修正し、該修正された第１の色成分を第１の期間でデジタル化する段階と、
前記色成分の第２のものを前記第２のチャネルで修正し、該修正された第２の色成分を前記第１の期間とは異なる第２の期間でデジタル化する段階と、
を含む方法。
【請求項４２】
画像キャプチャ回路であって、
それぞれが単色の画素行を表す所定の順序の色成分を有するシリアルアナログカラー信号を単一の入力ノードで受信する手段と、
前記色成分の第１のものを前記入力ノードに接続された第１のチャネルで修正し、かつ、該修正された色成分を第１の期間でデジタル化する手段と、
前記色成分の第２のものを前記入力ノードに接続された第２のチャネルで修正し、かつ、該修正された色成分を前記第１の期間とは異なる第２の期間でデジタル化する手段と、
を備える
画像キャプチャ回路。
【請求項４３】
画像キャプチャ回路であって、
それぞれが単色の画素行を表す所定の順序の色成分を有するシリアルアナログカラー信号を単一の入力ノードで受信する手段と、
前記色成分の第１のものを前記入力ノードに接続された第１のチャネルにより第１の期間で修正する手段と、
前記色成分の第２のものを前記入力ノードに接続された第２のチャネルにより前記第１の期間とは異なる第２の期間で修正する手段と、
前記色成分の第１のものを修正する前記手段と、前記色成分の第２のものを修正する前記手段とに接続され、修正された色成分を前記それぞれの期間でデジタル化する手段と、
を備える画像キャプチャ回路。
【請求項４４】
画像キャプチャ回路であって、
それぞれが単色の画素行を表す所定の順序の色成分を有するシリアルアナログカラー信号を、第１および第２のチャネルのそれぞれで受信する手段と、
前記色成分の第１のものを前記第１のチャネルで修正し、かつ、該修正された第１の成分を第１の期間でデジタル化する手段と、
前記色成分の第２のものを前記第２のチャネルで修正し、かつ、該修正された第２の成分を前記第１の期間とは異なる第２の期間でデジタル化する手段と、
を備える画像キャプチャ回路。
【請求項４５】
画像キャプチャ回路であって、
それぞれが単色の画素行を表す所定の順序の色成分を有するシリアルアナログカラー信号を、第１および第２のチャネルのそれぞれで受信する手段と、
前記色成分の第１のものを前記第１のチャネルで修正する手段と、
前記色成分の第２のものを前記第２のチャネルで修正する手段と、
前記色成分の第１のものを修正する前記手段と、前記色成分の第２のものを修正する前記手段とに接続され、修正された色成分を前記それぞれの期間でデジタル化する手段と、
を備える画像キャプチャ回路。
【請求項４６】
画像キャプチャ回路であって、
アナログ信号源と、
それぞれが単色の画素行を表す所定の順序の色成分を有するシリアルアナログカラー信号を受信するよう動作可能なデジタイザと、を備え、該デジタイザは、
前記シリアルアナログカラー信号を受信し、かつ、それぞれの色成分を処理するようそれぞれ動作可能な複数のチャネルと、
前記色成分を順次受信してデジタル化するよう動作可能なＡ／Ｄコンバータと、を有し、
前記画像キャプチャ回路は、
前記アナログ信号源と前記デジタイザとの間に接続され、前記アナログ信号源と、それぞれが前記複数のチャネルの１つに接続された複数の並列なデジタイザ入力、前記複数のチャネルのすべてに接続された第１のシリアルデジタイザ入力、および、前記複数のチャネルの単一のチャネルに接続された第２のシリアルデジタイザ入力の１つとの間を切り換えるよう動作可能なスイッチと、
前記デジタイザに接続され、前記チャネルのそれぞれを前記ＡＤコンバータに所定の順序で接続するよう動作可能なコントローラと、
を更に備える画像キャプチャ回路。
【請求項４７】
画像キャプチャ回路であって、
アナログ信号源と、
それぞれが単色の画素行を表す所定の順序の色成分を有するシリアルアナログカラー信号を受信するデジタイザ手段と、を備え、該デジタイザ手段は、
前記シリアルアナログカラー信号を受信し、かつ、１つまたはそれ以上の色成分を処理する複数のチャネルを含む処理手段と、
前記処理手段に接続され、前記処理された色成分を順次受信してデジタル化するコンバータ手段と、を有し、
前記画像キャプチャ回路は、
前記アナログ信号源と前記デジタイザ手段との間に接続され、前記アナログ信号源と、それぞれが前記複数のチャネルの１つに接続された複数の並列なデジタイザ入力、前記複数のチャネルのすべてに接続された第１のシリアルデジタイザ入力、および、前記複数のチャネルの単一のチャネルに接続された第２のシリアルデジタイザ入力の１つとの間を切り換えるよう動作可能なスイッチ手段と、
前記処理手段に接続され、前記チャネルのそれぞれをコンバータ手段に所定の順序で接続するコントローラ手段と、
を更に備える画像キャプチャ回路。
【請求項４８】
それぞれが単色の画素行を表す所定の順序の色成分を有するシリアルアナログカラー信号をデジタル化する方法であって、
前記シリアルアナログカラー信号を単一の入力ノードで受信する段階と、
前記入力ノードと、前記複数のチャネルの１つに接続された複数の並列なデジタイザ入力、前記複数のチャネルのすべてに接続された第１のシリアルデジタイザ入力、および、前記複数のチャネルの単一のチャネルに接続された第２のシリアルデジタイザの１つとの間を切り換える段階と、
前記切り換え段階に基づき、前記シリアルアナログカラー信号を処理し、かつ、前記複数のチャネルまたは単一のチャネルにおいて１つまたはそれ以上の色成分を修正する段階と、
前記修正された色成分を受信しデジタル化する段階と、
を含む方法。